(57)【要約】      （修正有）【課題】口径の異なるそれぞれの移し変え容器に対応できるとともに、倒れないじょうごを提供する。【解決手段】上部が開放する注入口を備え、注入口から下方に伸びるテーパーの外周部を備え、底面に係る略中心に上下が開口した管状の突出部８が設けられた通水部を有し、外周部に連接して下方に伸びる下面が開放する開口を有する容器状の係止部材６を有し、下面が開放する開口に弾性変形を可能とし開口に対して脱着可能とする弾性蓋１１を備え、弾性蓋に突出部の略中心から放射状に少なくとも１つの切り込み１０を設ける。液体等をうつしかえたいそれぞれの容器口の大きさに対応して弾性蓋の切り込みが変化する為、切り込みの弾圧によって容器口にじょうごを倒れないように保持できる。【選択図】図１
0003211533.tif 000002
【実用新案登録請求の範囲】
【請求項１】
上部が開放する注入口（２）を備え、該注入口（２）から下方に伸びるテーパー（３）の外周部（１２）を備え、該テーパー（３）の底面に係る略中心部に上下が開口する管状（５）の突出部（８）が設けられた通水部（４）を有し、前記外周部（１２）に連接（９）して下方に伸びる下面が開放する開口（７）を有する容器状の係止部材（６）を有し、前記下面が開放する開口（７）に弾性変形（１３）を可能とし且前記開口（７）に対して脱着可能（１４）とする弾性蓋（１１）を備え、該弾性蓋（１１）に前記突出部（８）の略中心部から放射状（１５）に少なくとも１つの切り込み（１０）が設けられていることを特徴とするじょうご。
【考案の詳細な説明】
【技術分野】
【０００１】
テーパーのじょうごを上部が開放する注入口とそのテーパーの底面に係る略中心に上下が開口する管状の突出部が設けられた通水部を有し、そのじょうごをペットボトルまたは瓶等のそれぞれ異なる移し替え容器の口径に対応する倒れないじょうごを提供する為そのテーパーの外周部に連接して下方に伸びる下面が開放する開口を有する容器状の係止部材と該開口に弾性変形且脱着可能とする弾性蓋を備え与えて該弾性蓋に前記突出部の略中心から放射状に少なくとも一つの切り込みを設けることによりその切り込みからなる幅や面積はその切り込みを基準に弾性蓋に外からの圧力を加えることによってその切り込みはそれぞれの形または大きさへと変化させやすいものとなる為その移し替えたいペットボトルまたは瓶等の容器口系をそれぞれ迷うことなく差し込むことができまたその切り込みに差し込まれる移し替え容器はその弾性変形可能な弾圧によりその容器口をしっかり抑えて保持するようになる為そのじょうごは移し替え容器が変わっても倒れないそれぞれの該容器に保持するじょうごとなり尚そのじょうごを急速に液体等を移し替えたい形成としてそのじょうごと移し替え容器口のそれぞれが接し合う部分に空間を与える為にその切り込み弾圧で抑える弾圧部と移し替え容器口部のそれぞれ交わるその弾圧部を少し上にずらし持ちあげてその容器に保持させることにより空気がその容器内に入り易くなる為急速に液体等を移し替えることもできるようになる。またその係止部材の大きさを形成によって調整することにより移し替え容器口の大きさ対応は格段に広がるものとなり尚その脱着可能な弾性蓋を取り外すことにより中側が洗えるようになる。
【背景技術】
【０００２】
じょうごを使い液体等を移す際にその移す側となる容器にそのじょうごを支える不安定さがあるということやペットボトルに固定するじょうごはあるがその移す側となる多目的容器にはそれぞれの口径が異なる為その複数の容器に対しては安定して固定ができにくいというそれぞれの問題点があった。
【先行技術文献】
【特許文献】
【０００３】
特開２００９−２８０２７６公報
【考案の概要】
【考案が解決しようとする課題】
【０００４】
じょうごを多目的なそれぞれの容器の口径に対応できる安定且倒れないじょうごへと改善する為に本考案はテーパーのじょうごを上部が開放する注入口とそのテーパーの底面に係る略中心に上下が開口する管状の突出部が設けられた通水部を有し、そのじょうごをペットボトルまたは瓶等のそれぞれ異なる移し替え容器の口径に対応する倒れないじょうごを提供する為そのテーパーの外周部に連接して下方に伸びる下面が開放する開口を有する容器状の係止部材と該開口に弾性変形且脱着可能とする弾性蓋を備え与えて該弾性蓋に前記突出部の略中心から放射状に少なくとも一つの切り込みを設けることによりその切り込みからなる幅や面積はその切り込みを基準に弾性蓋に外からの圧力を加えることによってその切り込みはそれぞれの形または大きさへと変化させやすいものとなる為その移し替えたいペットボトルまたは瓶等の容器口系をそれぞれ迷うことなく差し込むことができまたその切り込みに差し込まれる移し替え容器はその弾性変形可能な弾圧によりその容器口をしっかり抑えて保持するようになる為そのじょうごは移し替え容器が変わっても倒れないそれぞれの該容器に保持するじょうごとなり尚そのじょうごを急速に液体等を移し替えたい形成としてそのじょうごと移し替え容器口のそれぞれが接し合う部分に空間を与える為にその切り込み弾圧で抑える弾圧部と移し替え容器口部のそれぞれ交わるその弾圧部を少し上にずらし持ちあげてその容器に保持させることにより空気がその容器内に入り易くなる為急速に液体等を移し替えることもできるようになる。またその係止部材の大きさを形成によって調整することにより移し替え容器口の大きさ対応は格段に広がるものとなり尚その脱着可能な弾性蓋を取り外すことにより中側が洗えるようになる。
【課題を解決するための手段】
【０００５】
本考案１は
上部が開放する注入口（２）を備え、該注入口（２）から下方に伸びるテーパー（３）の外周部（１２）を備え、該テーパー（３）の底面に係る略中心部に上下が開口する管状（５）の突出部（８）が設けられた通水部（４）を有し、前記外周部（１２）に連接（９）して下方に伸びる下面が開放する開口（７）を有する容器状の係止部材（６）を有し、前記下面が開放する開口（７）に弾性変形（１３）を可能とし且前記開口（７）に対して脱着可能（１４）とする弾性蓋（１１）を備え、該弾性蓋（１１）に前記突出部（８）の略中心部から放射状（１５）に少なくとも１つの切り込み（１０）が設けられていることを特徴とするじょうごを提供。
【考案の効果】
【０００６】
上部が開放する注入口（２）を備え、該注入口（２）から下方に伸びるテーパー（３）の外周部（１２）を備え、該テーパー（３）の底面に係る略中心部に上下が開口する管状（５）の突出部（８）が設けられた通水部（４）を有し、前記外周部（１２）に連接（９）して下方に伸びる下面が開放する開口（７）を有する容器状の係止部材（６）を有し、前記下面が開放する開口（７）に弾性変形（１３）を可能とし且前記開口（７）に対して脱着可能（１４）とする弾性蓋（１１）を備え、該弾性蓋（１１）に前記突出部（８）の略中心部から放射状（１５）に少なくとも１つの切り込み（１０）が設けられていることを特徴とする為テーパーのじょうごを上部が開放する注入口とそのテーパーの底面に係る略中心に上下が開口する管状の突出部が設けられた通水部を有し、そのじょうごをペットボトルまたは瓶等のそれぞれ異なる移し替え容器の口径に対応する倒れないじょうごを提供する為そのテーパーの外周部に連接して下方に伸びる下面が開放する開口を有する容器状の係止部材と該開口に弾性変形且脱着可能とする弾性蓋を備え与えて該弾性蓋に前記突出部の略中心から放射状に少なくとも一つの切り込みを設けることによりその切り込みからなる幅や面積はその切り込みを基準に弾性蓋に外からの圧力を加えることによってその切り込みはそれぞれの形または大きさへと変化させやすいものとなる為その移し替えたいペットボトルまたは瓶等の容器口系をそれぞれ迷うことなく差し込むことができまたその切り込みに差し込まれる移し替え容器はその弾性変形可能な弾圧によりその容器口をしっかり抑えて保持するようになる為そのじょうごは移し替え容器が変わっても倒れないそれぞれの該容器に保持するじょうごとなり尚そのじょうごを急速に液体等を移し替えたい形成としてそのじょうごと移し替え容器口のそれぞれが接し合う部分に空間を与える為にその切り込み弾圧で抑える弾圧部と移し替え容器口部のそれぞれ交わるその弾圧部を少し上にずらし持ちあげてその容器に保持させることにより空気がその容器内に入り易くなる為急速に液体等を移し替えることもできるようになる。またその係止部材の大きさを形成によって調整することにより移し替え容器口の大きさ対応は格段に広がるものとなり尚その脱着可能な弾性蓋を取り外すことにより中側が洗えるようになる。
【図面の簡単な説明】
【０００７】
【図１】本考案に係るじょうごの正面図。
【図２】形成一例概略図。
【考案を実施するための形態】
【０００８】
以下、本考案の好適な実施例を図面に基づいて説明する。
【０００９】
図１は本考案に係るじょうごの一例を示す正面図である。
【００１０】
図１は上部が開放する注入口（２）を備え、該注入口（２）から下方に伸びるテーパー（３）の外周部（１２）を備え、該テーパー（３）の底面に係る略中心部に上下が開
口する管状（５）の突出部（８）が設けられた通水部（４）を有し、前記外周部（１２）
に連接（９）して下方に伸びる下面が開放する開口（７）を有する容器状の係止部材（６）を有し、前記下面が開放する開口（７）に弾性変形（１３）を可能とし且前記開口（７）に対して脱着可能（１４）とする弾性蓋（１１）を備え、該弾性蓋（１１）に前記突出部（８）の略中心部から放射状（１５）に少なくとも１つの切り込み（１０）が設けられていることを特徴とすることを示しテーパー３のじょうご１を上部が開放する注入
口２とそのテーパー３の底面に係る略中心に上下が開口する管状５の突出部８が設け
られた通水部４を有し、そのじょうご１をペットボトルまたは瓶等のそれぞれ異なる移
し替え容器の口径に対応する倒れないじょうご１を提供する為そのテーパー３の外周
部１２に連接９して下方に伸びる下面が開放する開口を有する容器状の係止部材６と
該開口に弾性変形且脱着可能とする弾性蓋１１を備え与えて該弾性蓋１１に前記突出
部８の略中心から放射状１５に少なくとも一つの切り込み１０を設けることによりそ
の切り込み１０からなる幅や面積はその切り込み１０を基準に弾性蓋１１に外からの
圧力を加えることによってその切り込み１０はそれぞれの形または大きさへと変化さ
せやすいものとなる為その移し替えたいペットボトルまたは瓶等の容器口系をそれぞ
れ迷うことなく差し込むことができまたその切り込み１０に差し込まれる移し替え容
器はその弾性変形可能な弾圧によりその容器口をしっかり抑えて保持するようになる
為そのじょうご１は移し替え容器が変わっても倒れないそれぞれの該容器に保持する
じょうご１となり尚そのじょうご１を急速に液体等を移し替えたい形成としてそのじ
ょうご１と移し替え容器口のそれぞれが接し合う部分に空間を与える為にその切り込
み１０弾圧で抑える弾圧部と移し替え容器口部のそれぞれ交わるその弾圧部を少し上
にずらし持ちあげてその容器に保持させることにより空気がその容器内に入り易くな
る為急速に液体等を移し替えることもできるようになる。またその容器状の係止部材６
の大きさを調整し形成にすることによって移し替え容器口の大きさ対応は格段に広が
るものとなり尚その脱着可能な弾性蓋１１を取り外すことにより中側が洗えるように
なる。
【００１１】
図２は形成一例を示したものとなり（ａ）はシャンプーポンプや液体せっけん等のそ
れぞれのポンプをかける為の形成を示しそのテ―パー３の外周部１２に備わる容器状の
係止部材６の一部に孔１６を設けることにより移し替え容器の蓋変わりとなるポンプを
かけて使用することができるようになり（ｂ）はテーパー３の一例を示したものとなり
じょうご１に係る注入口２の一部を上部方向に向かって高く突出させる突出壁２１を形
成することによりそのじょうご１に注ぐ液体は流しやすいものとなりまたその注入口２
にそのじょうご１をフック等にかけて収納する際の掛止部１７を設けて形成してもよい
ものとし（ｃ）はそのテーパー３の形成一例としてそのじょうご１や該じょうご１に係
る容器状の係止部材６を伸縮するように形成したものとなりまたそのテーパー３はその
じょうご１の上面から該じょうご１に係る管方向の下面に向かって徐々に幅が狭くなっ
ていくものとなりまたじょうご１の形成一例としてそのじょうご１に係る容器状の係止
部材６からポンプをかける為のポンプ掛け２０としてＣ形状等の突出部を設けて形成し
てもよいとし（ｄ）は下に向かって三図となるがそのテーパー３と管状５の突出部８の
略連接部にＣ形状２４等の水急速係止部１９を設けることにより移し替え容器に空気を
送り易いものとなりまたその水急速係止部１９を多孔質２３とすることや突出形状２５
を介してその移し替え容器に空気送り易くすることもでき（ｅ）は上記（ｂ）で示す突
出壁２１の形成一例となりそのじょうご１に係る注入口２の一部を上部方向に向かって
高く突出させる突出壁２１の外周や一部に凸部２２を形成することにより流す水は外に
こぼれにくくなるものとなり尚その凸部２２はその突出壁２１に曲線部を与える突出と
してもよいとしまた仮に切り込み１０に係る放射状１５は直線または曲線としても形成
できることやまたその容器状の係止部材６に係る弾性蓋１１の弾性またはじょうご１は
シリコンで形成する、樹脂で形成する、熱可塑性樹脂で形成する、エラストマー系で形
成する、熱可塑性エラストマーで形成する等があり尚仮にそのじょうご１の中心を示す
１つの基準としてそのテーパー３に係る下部の管状５突出部８を中心としてみてもよい
ものとなりまたそのじょうご１に係る容器状の係止部材６の形状として半球上に形成す
る、多面体で形成する動物等の動体系で形成する、植物等の自然物系で形成等があり尚
そのじょうご１に係る外周部１２から連接９して下方に伸びる方向は徐々に幅が広がっ
て伸びる形成や垂直に下に向かって伸びる形成もある。また仮にそのじょうご１を顔料
で着色して形成してもよいものとなる。
【符号の説明】
【００１２】
１  じょうご
２  注入口
３  テーパー
４  通水部
５  管状
６  容器状の係止部材
７  下部が開放する開口
８  突出部
９  連接
１０  切り込み
１１  弾性蓋
１２  外周部
１３  弾性変形
１４  脱着可能
１５  放射状
１６  孔
１７  掛止部
１８  伸縮部
１９  水急速係止部
２０  ポンプ掛け
２１  突出壁
２２  凸部
２３  多孔質
２４  Ｃ形状
２５  突出形状
【図１】
0003211533.tif 000003
【図２】
0003211533.tif 000004